(57)【要約】【課題】ルアーが有するリップや釣鉤が岩や石あるいは水草等の障害物を回避することができるようにして、根がかりが起こりにくいようにしたルアーを提供する。【解決手段】ルアーＬ１は、ボディー１と、リップ２と、釣鉤３と、揺動制御部材４と、ガード部材５を有している。ガード部材５は、リップ２の上下面側にリップ２の先端部とボディー１の前部側上下面との間に架け渡すように設けられたそれぞれ二本の上部ガード線材５０、５１と下部ガード線材５２、５３を有している。上部ガード線材５０、５１と下部ガード線材５２、５３は、それぞれルアーの動く方向と異なる方向に膨らむように、かつ上部ガード線材５０、５１の間及び下部ガード線材５２、５３の間の中央部の間隔が広がるように湾曲して設けてある。【選択図】　　　　図１
2004049123.tif 000002
【特許請求の範囲】
【請求項１】
障害物に当たったときに、ルアーの動きを根がかり要素が根がかりしない方向に変える手段（５）または根がかりを防止する手段（５）を備えていることを特徴とする、
ルアー。
【請求項２】
ルアーの動く方向においてリップ（２）または釣鉤（３）の前方となる側に、障害物に当たったときに、ルアーの動きをリップ（２）または釣鉤（３）が根がかりしない方向に変える手段（５）または根がかりを防止する手段（５）を備えていることを特徴とする、
ルアー。
【請求項３】
ルアー本体（１）と、
ルアー本体（１）の先部に設けられルアーの動く方向を制御するリップ（２）と、
ルアー本体（１）に設けられている釣鉤（３）と、
を備えており、
ルアー本体（１）またはリップ（３）には、障害物に当たったときに、ルアーの動きをリップ（２）または釣鉤（３）が根がかりしない方向に変える手段（５）または根がかりを防止する手段（５）を備えていることを特徴とする、
ルアー。
【請求項４】
障害物に当たったときにルアーの動きをリップ（２）または釣鉤（３）が根がかりしない方向に変える手段（５）または根がかりを防止する手段（５）は、ルアーの外方に膨らむか張り出すように設けてあることを特徴とする、
請求項２または３記載のルアー。
【請求項５】
障害物に当たったときに、ルアーの動きをリップ（２）または釣鉤（３）が根がかりしない方向に変える手段（５）または根がかりを防止する手段（５）は、線材（５０，５１，５２，５３）で形成されていることを特徴とする、
請求項２、３または４記載のルアー。
【請求項６】
ルアーの動く方向において後部となる側に、ルアーが動くときの水圧を受けてルアーの揺れ動きの幅を制御する手段（４，４ａ）を備えていることを特徴とする、
請求項１、２、３、４または５記載のルアー。
【請求項７】
ルアーの揺れ動きの幅を制御する手段（４，４ａ）は中空形状に形成されており、内部の空間部（４０）には、空間部（４０）で移動することによって音を発生させる要素が収容してあることを特徴とする、
請求項６記載のルアー。
【請求項８】
ルアーが障害物に当たったときに、ルアーの動く方向をリップ（２）または釣鉤（３）が根がかりしない方向に変えるかまたはリップ（２）または釣鉤（３）が障害物に当たることを防止することにより根がかりを回避できるようにしたことを特徴とする、
ルアーの根がかり回避方法。
【発明の詳細な説明】
【０００１】
【発明の属する技術分野】
本発明は、ルアーフィッシングに使用される擬餌針であるルアー及びルアーの根がかり回避方法に関するものである。更に詳しくは、ルアーを水中で動かすときに、ルアーに設けてあるリップと釣鉤が障害物を回避できるようにして根がかりが起こりにくいようにしたものに関する。
【０００２】
【従来技術】
ルアーフィッシングでは、金属や木、合成樹脂等を素材として様々な形につくった擬餌（ルアー）を使用して魚を釣る。ルアーには、大別して、▲１▼湾曲を持たせたスプーン、▲２▼小魚に似た立方体のプラグ、▲３▼水中で回転するスピナー、▲４▼深いところで上下に動かすことができるジグ、▲５▼餌の姿に似せたイミテーションの五種類のルアーがあり、釣り場や対象魚によって使い分けられている。
【０００３】
これらのルアーの中で、例えばイミテーションルアーの一般的構造は、餌の形をした本体（ボディー）と、ルアーに水中での独特の動きを与えるための羽根状のリップと、本体に剥き出しでで設けてある釣鉤を有するものである。釣鉤は、通常は複数設けられており、その多くは魚がかかりやすいトレブルフック（三本鉤）である。
【０００４】
【発明が解決しようとする課題】
しかしながら、上記した従来のルアーには、次のような課題があった。
すなわち、ルアーフィッシングでは、リールを巻きながらルアーを水中で動かして、その動きを演出することが必要になる。また、魚は岩や石が多い場所や水草が多い場所等に好んで生息する。
【０００５】
このため、魚のいるポイントでルアーを操作すると、上記したように釣鉤がトレブルフックであることも相まって、いわゆる根がかりが起こりやすかった。根がかりには、リップが岩や石の隙間に挟まるケースと、釣鉤が岩や石あるいは水草等にかかるケースがある。いずれの場合も、最終的に外すことができなければライン（釣糸）を切ってルアーを水中に残すことになり、環境保全の観点から改善が望まれている。
【０００６】
（本発明の目的）
本発明の目的は、ルアーを水中で動かすときに、ルアーが有するリップや釣鉤が岩や石あるいは水草等の障害物を回避することができるようにして、根がかりが起こりにくいようにしたルアー及びルアーの根がかり回避方法を提供することを目的とする。
【０００７】
【課題を解決するための手段】
上記課題を解決するために講じた本発明の手段は次のとおりである。
第１の発明にあっては、
障害物に当たったときに、ルアーの動きを根がかり要素が根がかりしない方向に変える手段または根がかりを防止する手段を備えていることを特徴とする、
ルアーである。
【０００８】
第２の発明にあっては、
ルアーの動く方向においてリップまたは釣鉤の前方となる側に、障害物に当たったときに、ルアーの動きをリップまたは釣鉤が根がかりしない方向に変える手段または根がかりを防止する手段を備えていることを特徴とする、
ルアーである。
【０００９】
第３の発明にあっては、
ルアー本体と、
ルアー本体の先部に設けられルアーの動く方向を制御するリップと、
ルアー本体に設けられている釣鉤と、
を備えており、
ルアー本体またはリップには、障害物に当たったときに、ルアーの動きをリップまたは釣鉤が根がかりしない方向に変える手段または根がかりを防止する手段を備えていることを特徴とする、
ルアーである。
【００１０】
第４の発明にあっては、
障害物に当たったときにルアーの動きをリップまたは釣鉤が根がかりしない方向に変える手段または根がかりを防止する手段は、ルアーの外方に膨らむか張り出すように設けてあることを特徴とする、
第２または第３の発明に係るルアーである。
【００１１】
第５の発明にあっては、
障害物に当たったときに、ルアーの動きをリップまたは釣鉤が根がかりしない方向に変える手段または根がかりを防止する手段は、線材で形成されていることを特徴とする、
第２、第３または第４の発明に係るルアーである。
【００１２】
第６の発明にあっては、
ルアーの動く方向において後部となる側に、ルアーが動くときの水圧を受けてルアーの揺れ動きの幅を制御する手段を備えていることを特徴とする、
第１、第２、第３、第４または第５の発明に係るルアーである。
【００１３】
第７の発明にあっては、
ルアーの揺れ動きの幅を制御する手段は中空形状に形成されており、内部の空間部には、空間部で移動することによって音を発生させる要素が収容してあることを特徴とする、
第６の発明に係るルアーである。
【００１４】
第８の発明にあっては、
ルアーが障害物に当たったときに、ルアーの動く方向をリップまたは釣鉤が根がかりしない方向に変えるかまたはリップまたは釣鉤が障害物に当たることを防止することにより根がかりを回避できるようにしたことを特徴とする、
ルアーの根がかり回避方法である。
【００１５】
障害物に当たったときに、ルアーの動きを根がかり要素（例えばリップまたは釣鉤）が根がかりしない方向に変える手段または根がかりを防止する手段は、線材以外にも、例えば網体、板状体等、他の構造のものを採用することもでき、特に限定するものではない。またその構造も限定されるものではなく、様々な構造、形態が採用できる。
【００１６】
なお、この手段は、ルアーの動きを制御するリップの機能に影響を与えないように、水に対する抵抗が小さいものが望ましいが、この手段に、リップと同様に水圧を受けてルアーの動きを制御する機能を付与することもできる。
また、この手段を設ける位置は、ルアー本体に設けてある釣鉤の横方（ルアー本体の長手方向において同じ位置）から前方（ルアー本体の長手方向において前の位置）に設けるのが好ましいが限定はしない。更に、ルアーの腹側（通常は釣鉤が設けてある側）と背側の両方に設けてもよいし、いずれか一方に設けることもできる。
【００１７】
線材は、針金のような中実のものでもよいし、線材状の細いパイプ（プラスチック製等）でもよい。パイプの場合は、軽量であるばかりでなく、内部に空気を保持することによって、ルアーにより大きな浮力を与えることができ、水中での運動性能を様々に調整、設定することが可能になる。
【００１８】
線材は、障害物に当たることによってルアーの動く方向をリップまたは釣鉤が根がかりしない方向に変えることができる十分な反発力を備えるために、弾性や撓み性を有する素材を採用するのが望ましいが、弾性や撓み性がないかあまりない剛性の高い素材を採用してもよい。また、線材等の材料としてはステンレススチールのように錆びにくい素材が好ましいが、限定はしない。
【００１９】
リップは、ルアー本体と別体として（つながってはいるが）構成される場合もあるし、ルアー本体の一部に斜面を設ける等、ルアー本体そのものを加工して形成することもできる。
【００２０】
（作用）
本発明に係るルアーは次のように作用する。
リールを回すと、ルアーはラインに引かれて水中で移動しながら上下左右方向に動き、また、ルアー自体も尻を振るような揺れる動きをする。ルアーは、このような動きをするために、魚が生息するポイントである岩や石が多い場所や水草の多い場所において、ルアーが水底まで移動したときに、これら岩や石に当たることがある。
【００２１】
本発明に係るルアーは、岩や石に当たっても、例えば線材等のルアーの動きを根がかり要素が根がかりしない方向に変える手段または根がかりを防止する手段によってルアーの動く方向をリップまたは釣鉤が根がかりしない方向（例えば障害物から離れる方向）に変え、または根がかり要素が障害物に当たることを防止して、ルアーに設けてあるリップが岩や石の隙間に挟まったり、釣鉤がかかってしまう根がかりを防止できる。
また、ルアーの先端部等が障害物に当たってルアーがはね返ると、反射運動を効果的に行うので、魚が食い付きやすい。
【００２２】
障害物に当たったときに、ルアーの動きをリップまたは釣鉤が根がかりしない方向に変える手段または根がかりを防止する手段が、ルアーの動く方向において釣鉤の前方となる側に設けてあるものは、その手段が邪魔することにより釣鉤が岩や石等の障害物と当たりにくくなるので、より確実に根がかりを防止できる。
【００２３】
障害物に当たったときに、ルアーの動きをリップまたは釣鉤が根がかりしない方向に変える手段または根がかりを防止する手段が、ルアーの外方向へ膨らむか張り出すように設けてあるものは、その手段が例えばルアーの先端部に設けてあるリップに設けてあることにより、リップが岩や石の間に挟まることを邪魔するので、特にこのような根がかりを防止できる。
【００２４】
障害物に当たったときに、ルアーの動きをリップまたは釣鉤が根がかりしない方向に変える手段または根がかりを防止する手段が線材で形成されているものは、水の抵抗が少なく、リップ等により制御されるルアーの水中での本来の動きに悪い影響を及ぼすことはない。
また、線材の素材を弾性や撓み性を有する金属やプラスチックとすることにより、その反発力によって、障害物に当たったときに、ルアーの動きをリップまたは釣鉤が根がかりしない方向に変えることができる十分な機能を発揮できる。
【００２５】
ルアーの動く方向において後部となる側に、ルアーが動くときの水圧を受けてルアーの揺れ動きの幅を制御する手段を備えているものは、釣りをする場所の障害物の多少や水の流れの違いによって、あるいは対象魚の種類によって、ルアーの揺れの動きを制御できる。
【００２６】
すなわち、例えば岩や石等の障害物が多い場所での使用では、ルアーが大きく揺れるように動くと、ルアーに設けてある釣鉤の動きも大きくなり、岩や石の肌に当たりやすくなって、根がかりしやすくなる。従って、このような場所では、ルアーの揺れ動きがあまり大きくならないように、例えばルアーの揺れ動きの幅を制御する手段を交換する等して、揺れ動きの幅が小さくなるよう制御する。
また、逆に障害物があまりない場所では、釣果をあげるために、同じく上記手段を交換する等してルアーの揺れ動きが大きくするよう制御する。
【００２７】
ルアーの揺れ動きの幅を制御する手段は中空形状に形成されており、内部の空間部には、空間部で移動することによって音を発生させる要素が収容してあるものは、対象魚によって使い分けることで、釣果をあげることができる。
【００２８】
【発明の実施の形態】
本発明を図面に示した実施の形態に基づき更に詳細に説明する。
図１は本発明に係るルアーの第１の実施形態を示す斜視図、
図２は図１に示すルアーの側面図、
図３は図１に示すルアーの平面図、
図４は図１に示すルアーの底面図、
図５は図２におけるＡ−Ａ拡大断面図である。
【００２９】
ルアーＬ１は、ボディー１と、ボディー１の先端部に設けてあるリップ２と、ボディー１の腹部の二箇所に設けてある釣鉤３と、ボディー１の後端部に設けてある揺動制御部材４と、リップ２の表裏両側に設けてあるガード部材５を有している。
【００３０】
ルアー本体であるボディー１は、比重が小さいバルサ材等の木材（浮力が異なる杉等の他の木材あるいはプラスチック等の材料を採用してもよい）で流線型（水滴型）に形成されており、表面には塗装が施されている。この塗装は、表面を滑らかにして水の抵抗を小さくするためと、防水のために施されている。
【００３１】
ボディー１の前端部（太い側）には、前方（ルアーの使用時における動く方向において）へ向け、斜め下方へ向けてリップ２が設けられている。リップ２は、ルアーの動く方向を制御するものである。リップ２は、透明なプラスチック板で形成されており、基部側（ボディー１への固定側）の一部はボディー１に設けられた切り込み部に差し込んで釘１１で固着し水平（ボディー１の中心線方向）に設けられ、折曲されて傾斜部分が設けられている。
【００３２】
リップ２の形状、厚さは特に限定されるものではない。また、リップ２の傾斜角度も特に限定されないが、設定するルアーのアクションの違いによって適宜設定される。例えば水平（ボディー１の長手方向と平行）から垂直（ボディー１の長手方向と下または上へ直角）の角度間で設定される。
リップ２の傾斜した部分のうちやや上部寄りには、ライン（釣糸）の先端部を取り付ける掛け金具２０が設けてある。
【００３３】
リップ２の上面側と下面側には、障害物に当たることによってルアーの動く方向を障害物から離れる方向に変えることができる手段であるガード部材５が設けてある。ガード部材５は、リップ２の上面側にリップ２の先端部とボディー１の前部側上面との間に架け渡すように設けられた二本の上部ガード線材５０、５１を有している。
【００３４】
また、ガード部材５は、リップ２の下面側にリップ２の先端部とボディー１の前部側下面との間に架け渡すように設けられた二本の下部ガード線材５２、５３を有している。上部ガード線材５０、５１と下部ガード線材５２、５３は、弾性及び撓み性を有するステンレススチール製である。
本実施の形態では、上部ガード線材５０と下部ガード線材５２及び上部ガード線材５１と下部ガード線材５３は、それぞれリップ２の先端部二箇所に設けてある通し孔２１を通って一本の線材で連続するよう形成されている。
【００３５】
また、上部ガード線材５０、５１の上端部側は、ボディー１上面側二箇所に設けられた差し込み孔１２に抜き差し可能に差し込まれており、下部ガード線材５２、５３の下端部側は、ボディー１下面側二箇所に設けられた差し込み孔１３に抜き差し可能に差し込まれている。差し込み箇所に接着剤等を入れて各線材の固定と防水を図ることもできる。なお、上部ガード線材５０、５１と下部ガード線材５２、５３をそれぞれ着脱可能な構造にしてもよく、その場合は上部の上部ガード線材５０、５１と下部の下部ガード線材５２、５３を選択的に使用することができる。
【００３６】
上部ガード線材５０、５１と下部ガード線材５２、５３は、それぞれルアーの動く方向と異なる方向（本実施の形態では、リップ２の表面と離れる方向）に膨らむように、なおかつ上部ガード線材５０、５１の間及び下部ガード線材５２、５３の間の中央部の間隔が広がるように湾曲して設けてある。また、上部ガード線材５０、５１は、掛け金具２０の先端部よりも上方へ張り出すように形成してある（図２、図３、図４参照）。
本実施の形態では、下部ガード線材５２、５３の方が上部ガード線材５０、５１よりも膨らみ幅が大きくなっている。また、下部ガード線材５２、５３は、ルアーの動く方向において、次に説明する釣鉤３の前方となる側にある。
【００３７】
釣鉤３は、トレブルフック（三本鉤）であり、ボディー１の腹部（下面側）に前後に所要間隔をおいて設けられた取着リング３０に、釣鉤側の取着リング３１をかけて揺動可能に吊り下げてある。なお、取着リング３０はねじ込み式であり、ねじ込んで突出長を調整することにより、釣鉤３の振れ角を調整できる。
【００３８】
ボディー１の後端部に取り付けてある揺動制御部材４は、ルアーが動くときの水圧を受けてルアーの揺れ動きの幅を制御するものである。揺動制御部材４は、軸周方向へ自由に回転できる回転体４２を介在させて取り付けられている。また、揺動制御部材４は金属でつくられており、幅方向に湾曲し、長手方向へは真っ直ぐな形状を有している（特に、図２、図４参照）。
【００３９】
揺動制御部材４は中空体であり、内部に設けてある空間部４０には、空間部４０内で移動することによって音を発生させる要素であるラトル４１が収容してある。ラトル４１は金属製の球体であり、空間部４０内で自由に移動し、壁面と衝突して音を出すことができる。
【００４０】
（作　用）
図６は本発明に係るルアーの作用を示す説明図であり、（ａ）はルアーが動いてリップが石の間に挟まろうとする状態を示す図、（ｂ）はガード部材ではじかれてルアーの動く方向が変わった状態を示す図、
図７は揺動制御部材の他の実施形態を示す説明図であり、（ａ）は平面図、（ｂ）は側面図である。
図１ないし図７を参照して、本実施の形態に係るルアーＬ１の作用を説明する。
【００４１】
本実施の形態に係るルアーＬ１は次のように作用する。
リール（図示省略）を回すと、ルアーＬ１はライン６に引かれて水中で移動しながら上下左右方向に動き、また、ルアーＬ１自体も揺動制御部材４の作用で尻（後端部）を振るような揺れる動きをするが、本実施の形態に係る揺動制御部材４は、前方から水圧を受けて軸周方向に回転するので整流効果を発揮し、大きな揺れ動きはせず、安定して動く。
【００４２】
ルアーＬ１がこのような動きをしながら水底まで移動したときに、これら岩や石７に当たることがあり、図６（ａ）に示すようにリップ２が岩や石７の隙間７０に挟まれるような動きをしても、図６（ｂ）に示すようにルアーの動く方向と異なる方向に膨らむように設けてあるガード部材５によってはじかれて、ルアーＬ１の動く方向は障害物である岩や石７から離れる方向に変わる。
このように、リップ２が岩や石７の隙間７０に挟まったり、釣鉤５が岩や石７の表面にかかってしまう根がかりを防止できる。
【００４３】
特に、上部ガード線材５０、５１が岩や石７に当たると、上部ガード線材５０、５１が肌に沿うように滑り、かつボディー１をひねるように回転させてすり抜ける。また、水底面に下部ガード部材５２、５３が当たると、リップ２先端部と下部ガード部材５２、５３底部の三点で支えるように滑り、リップ２が水底面の隙間に刺さってしまうことを防止できる。
更に、ガード部材５を構成する下部ガード線材５２、５３は、ルアーの動く方向において釣鉤３の前方となる側にあるので、下部ガード線材５２、５３が邪魔することにより釣鉤３が岩や石７と当たりにくくなるので、より確実に根がかりを防止できる。
【００４４】
ルアーＬ１は、上記したように、揺動制御部材４によってルアーＬ１自体の揺れ動きが大きくならないように制御されているので、釣鉤の揺れも小さく岩や石７にもかかりにくいので、岩や石等の障害物が多い場所での使用に適している。なお、揺動制御部材４が回転するときに、ラトル４１の動きによって音が発生するので、対象魚によって使い分けることで、釣果をあげることができる。
【００４５】
なお、障害物があまりない場所では、釣果をあげるために、揺動制御部材４を図７に示す他の揺動制御部材４ａと交換して、ルアーの揺れ動きを大きくするよう制御する。
揺動制御部材４ａは金属製であり、やや厚い平板状に形成されている。また、中実であり、厚く形成されているので、上記揺動制御部材４と比べて重い。
従って、ルアーＬ１の揺動制御部材４を揺動制御部材４ａに取り替えることにより、回転する揺動制御部材４のような整流効果がなく、しかも重いためゆっくり動くので、ルアーＬ１は水中で動くときに大きく揺れ動くようになる。
【００４６】
図８は本発明に係るルアーの第２の実施形態を示す斜視図である。
なお、図において、上記とルアーＬ１と同一または同等箇所には同一の符号を付して示し、構造について重複する説明は省略する。
本実施の形態に係るルアーＬ２は、上記ルアーＬ１と比べて全体が小型につくられており、リップ２とガード部材５の構造はルアーＬ１とほぼ同様である。
釣鉤３はボディー１の腹部の一箇所に設けられている。また、ボディー１後端部に揺動制御部材４は設けられておらず、その位置には代わりに釣鉤３が取り付けてある。このように、ルアーは様々な形態でつくることができる。
【００４７】
なお、本明細書で使用している用語と表現は、あくまで説明上のものであって限定的なものではなく、上記用語、表現と等価の用語、表現を除外するものではない。また、本発明は図示されている実施の形態に限定されるものではなく、例えば釣鉤を後付けするタイプのものも含むものであり、技術思想の範囲内において種々の変形が可能である。
【００４８】
【発明の効果】
本発明は上記構成を備え、次の効果を有する。
（ａ）本発明によれば、ルアーが岩や石に当たっても、例えば線材等のルアーの動きを根がかり要素が根がかりしない方向に変える手段または根がかりを防止する手段によってルアーの動く方向をリップまたは釣鉤が根がかりしない方向（例えば障害物から離れる方向）に変え、または根がかり要素が障害物に当たることを防止して、ルアーに設けてあるリップが岩や石の隙間に挟まったり、釣鉤がかかってしまう根がかりを防止できる。
また、ルアーの先端部等が障害物に当たってルアーがはね返ると、反射運動を効果的に行うので、魚が食い付きやすい。
【００４９】
（ｂ）障害物に当たったときに、ルアーの動きをリップまたは釣鉤が根がかりしない方向に変える手段または根がかりを防止する手段が、ルアーの動く方向において釣鉤の前方となる側に設けてあるものは、その手段が邪魔することにより釣鉤が岩や石等の障害物と当たりにくくなるので、より確実に根がかりを防止できる。
【００５０】
（ｃ）障害物に当たったときに、ルアーの動きをリップまたは釣鉤が根がかりしない方向に変える手段または根がかりを防止する手段が、ルアーの外方向へ膨らむか張り出すように設けてあるものは、その手段が例えばルアーの先端部に設けてあるリップに設けてあることにより、リップが岩や石の間に挟まることを邪魔するので、特にこのような根がかりを防止できる。
【００５１】
（ｄ）障害物に当たったときに、ルアーの動きをリップまたは釣鉤が根がかりしない方向に変える手段または根がかりを防止する手段が線材で形成されているものは、水の抵抗が少なく、リップ等により制御されるルアーの水中での本来の動きに悪い影響を及ぼすことはない。
また、線材の素材を弾性や撓み性を有する金属やプラスチックとすることにより、その反発力によって、障害物に当たったときに、ルアーの動きをリップまたは釣鉤が根がかりしない方向に変えることができる十分な機能を発揮できる。
【００５２】
（ｅ）ルアーの動く方向において後部となる側に、ルアーが動くときの水圧を受けてルアーの揺れ動きの幅を制御する手段を備えているものは、釣りをする場所の障害物の多少や水の流れの違いによって、あるいは対象魚の種類によって、ルアーの揺れの動きを制御できる。
【００５３】
（ｆ）ルアーの揺れ動きの幅を制御する手段は中空形状に形成されており、内部の空間部には、空間部で移動することによって音を発生させる要素が収容してあるものは、対象魚によって使い分けることで、釣果をあげることができる。
【図面の簡単な説明】
【図１】本発明に係るルアーの第１の実施形態を示す斜視図。
【図２】図１に示すルアーの側面図。
【図３】図１に示すルアーの平面図。
【図４】図１に示すルアーの底面図。
【図５】図２におけるＡ−Ａ拡大断面図。
【図６】本発明に係るルアーの作用を示す説明図。
【図７】揺動制御部材の他の実施形態を示す説明図。
【図８】本発明に係るルアーの第２の実施形態を示す斜視図。
【符号の説明】
Ｌ１、Ｌ２　ルアー
１　ボディー
１１　釘
１２、１３　差し込み孔
２　リップ
２０　掛け金具
２１　通し孔
５　ガード部材
５０、５１　上部ガード線材
５２、５３　下部ガード線材
３　釣鉤
３０　取着リング
３１　取着リング
４、４ａ　揺動制御部材
４０　空間部
４１　ラトル
４２　回転体
６　ライン
７　岩や石
７０　隙間
【図１】
2004049123.tif 000003
【図２】
2004049123.tif 000004
【図３】
2004049123.tif 000005
【図４】
2004049123.tif 000006
【図５】
2004049123.tif 000007
【図６】
2004049123.tif 000008
【図７】
2004049123.tif 000009
【図８】
2004049123.tif 000010
【手続補正書】
【提出日】平成14年9月5日(2002.9.5)
【手続補正１】
【補正対象書類名】図面
【補正対象項目名】全図
【補正方法】変更
【補正の内容】
【図１】
2004049123.tif 000011
【図２】
2004049123.tif 000012
【図３】
2004049123.tif 000013
【図４】
2004049123.tif 000014
【図５】
2004049123.tif 000015
【図６】
2004049123.tif 000016
【図７】
2004049123.tif 000017
【図８】
2004049123.tif 000018